(57)【特許請求の範囲】
【請求項１】
個別着信キーと、コールウェイティング機能の割付が可能な機能キーとを備え、通話中に個別着信があったとき、その個別着信をコールウェイティング機能を割り付けた前記機能キーに移動させるようにしたＩＰ電話機であって、
予め工事業者が前記機能キーに割り付けたコールウェイティング機能及びそのオン／オフ設定状態を記憶する記憶手段と、前記機能キーの操作に応じて、前記記憶手段に記憶されているオン／オフ設定状態を変更する手段とを有することを特徴とするＩＰ電話機。
【請求項２】
請求項１記載のＩＰ電話機において、
前記コールウェイティング機能がオンに設定されているときの個別着信中の前記機能キーの操作に基づいて、前記個別着信を拒否する手段を有することを特徴とするＩＰ電話機。
【請求項３】
請求項１記載のＩＰ電話機において、
前記コールウェイティング機能がオフに設定されているときの通話中の前記機能キーの操作に基づいて、前記記憶手段に記憶されているオン／オフ設定状態をオンに変更する手段を有することを特徴とするＩＰ電話機。
【発明の詳細な説明】
【技術分野】
【０００１】
本発明は、ＩＰ（Internet Protocol）電話機に関し、詳細には、個別着信キーと、コールウェイティング（以下、ＣＷと言う）機能の割付が可能な機能キーとを備え、通話中に個別着信があったとき、その個別着信をＣＷ機能を割り付けた前記機能キーに移動させるようにしたＩＰ電話機に関する。
【背景技術】
【０００２】
本願発明の出願人は、先に個別着信キーと、ＣＷ機能の割付が可能な機能キーとを備え、通話中に個別着信があったとき、その個別着信をＣＷ機能を割り付けた前記機能キーに移動させるようにしたＩＰ電話機を提案した（非特許文献１）。
【０００３】
図８はこのＩＰ電話機２０の外観の概略平面図である。このＩＰ電話機２０は、ハンドセット２１と、ＬＣＤからなる表示部２２と、ダイヤルキーや各種機能キーからなる操作部２３とを備えている。
【０００４】
ここで、機能キーであるＦ１キーには例えば着番号「１１１１」を割り付け、Ｆ２キーには着番号「２２２２」を割り付けることができる。また、Ｆ４キーにはＣＷ機能を割り付け、Ｐｋキーは個別着信機能を割り付ける。これらの機能キーに対する機能の割り付けは、電話機の工事業者が実行するものであり、ユーザが実行したり、変更したりすることはできない。
【０００５】
Ｆ１キー、Ｆ２キー、Ｆ４キー、及びＰＫキーに上述の機能を割り付けることで、ＩＰ電話機２０は次のように動作する。
図示しないＳＩＰ（Session Initiation Protocol）サーバから、ＩＰ電話機２０に対し、番号「１１１１」を指定した着信があると、Ｆ１キーに対応して設けられた発光素子（以下、Ｆ１キーのランプと言う。他のキーについても同様）が点滅する。ユーザがＦ１キーを押下し、ハンドセット２１を取るか又は操作部２３のスピーカキーを押下することで通話中となる。「２２２２」を指定した着信があった場合も同様である。
【０００６】
また、ＩＰ電話機２０に対し、機能キー（ここではＦ１キー、Ｆ２キー）に割り付けられていない着番号（例えば「３４５６」、「７８９０」を指定した着信があった場合は、ＰＫキーのランプが点滅する。ユーザがＰＫキーを押下し、ハンドセット２１を取るか又はスピーカキーを押下することで通話中となる。
【０００７】
Ｆ４キーの機能については図９を参照しながら説明する。この図のＡはＦ４キーに割り付けたＣＷ機能がオフの場合、Ｂはオンの場合の動作を示す図である。
【０００８】
図９Ａに示すように、ＣＷ機能がオフの場合、Ｆ１キーに対する着信中、即ち「１１１１」を指定した着信がある時は、Ｆ２キーに対する着信、即ち「２２２２」を指定した着信、及びＰＫキーに対する着信、即ち「３４５６」、「７８９０」を指定した着信が可能である。
【０００９】
より詳しく説明すると、Ｆ１キーに対する着信中はＦ１キーのランプが点滅しており、新たにＦ２キーに対する着信があると、Ｆ２キーのランプも点滅する。この状態で、Ｆ１キー又はＦ２キーを押下することで、Ｆ１キー又はＦ２キーに対する着信に応答することができる。また、Ｆ１キーに対する着信中に新たにＰＫキーに対する着信があると、ＰＫキーのランプも点滅する。この状態で、ＰＫキーを押下することで、ＰＫキーに対する着信に応答することができる。即ちＰＫキーに対する着信を優先する。以上はＦ１キーに対する着信中にＦ２キー又はＰＫキーに対する着信があった場合であるが、Ｆ２キーに対する着信中にＦ１キー及びＰＫキーに着信があった場合も同様に、何れか１つのキーに対する応答を可能にするか、又はＰＫキーに対する応答を可能にする。
【００１０】
Ｆ１キーによる通話中はＦ２キーに対する着信は可能であるが、ＰＫキーに対する着信は不可能である。より詳しく説明すると、Ｆ１キーによる通話中はＦ１キーのランプが点灯しており、新たにＦ２キーに対する着信があると、Ｆ２キーのランプが点滅する。この状態でＦ４キーを押下することで通話中のＦ１キーとＦ４キーが保留状態となり、次いでＦ２キーを押下すると、Ｆ２キーに対する着信に応答することができる。また、この状態でＦ４キーを押下すると、通話中のＦ２キーが保留状態となり、Ｆ１キーに対する保留を解除することができる。この状態でＦ４キーは保留状態を維持しているため、新たにＰＫキーに対する着信があると、ＩＰ電話機２０は着信を拒否する。
【００１１】
ＰＫキーに対する着信中はＦ１キーに対する着信、Ｆ２キーに対する着信は可能であるが、ＰＫキーに対する着信は不可能である。同様に、ＰＫキーによる通話中はＦ１キーに対する着信、Ｆ２キーに対する着信は可能であるが、ＰＫキーに対する着信は不可能である。
【００１２】
図９Ｂに示すように、ＣＷ機能がオンの場合、Ｆ１着信中とＰＫ着信中の動作はＣＷ機能が割り付けられていない場合と同じであるが、Ｆ１通話中とＰＫ通話中にＰＫ着信が可能になる点が異なる。
【００１３】
より詳しく説明すると、Ｆ１通話中にＰＫ着信があると、Ｆ４キーのランプが点滅する。ユーザがＦ４キーを押下すると、Ｆ１キーが保留状態となり、ＰＫ着信に応答することができる。この応答中はＦ４キーは保留状態となり、ＰＫキーのランプは点灯している。この状態でＦ４キーを押下すると、ＰＫキーが保留状態となり、Ｆ１キーに対する保留が解除される。
【００１４】
同様に、ＰＫ通話中にＰＫ着信があると、Ｆ４キーのランプが点滅する。ユーザがＦ４キーを押下すると、Ｆ４キーが保留状態となり、新たなＰＫ着信に応答することができる。この応答中はＦ４キーのランプは保留点滅し、ＰＫキーのランプは点灯している。この状態でＦ４キーを押下すると、通話中のＰＫキーが保留状態となり、Ｆ４キーの保留が解除される。
【００１５】
このように、本願発明の出願人が提案したＩＰ電話機は、機能キーにＣＷ機能を割り付け、通話中に個別着信があったとき、その個別着信をその機能キーに移動させることにより、１回線しか外線通話に使用できないＩＰ電話機を、着信に関しては見かけ上複数回線に使用できるようにしている。
【００１６】
しかしながら、このＩＰ電話機では、ＣＷ機能の割り付け及びオン／オフ設定を行えるのが工事業者に限られており、ユーザが設定できないという問題がある。
【非特許文献１】「ＩＰ Net Phone ＳＸ」のカタログ（サクサ株式会社、２００６年５月）
【発明の開示】
【発明が解決しようとする課題】
【００１７】
本発明は、このような問題点に鑑みてなされたものであり、その目的は、個別着信キーと、ＣＷ機能の割付が可能な機能キーとを備え、通話中に個別着信があったとき、その個別着信をＣＷ機能を割り付けた前記機能キーに移動させる機能を有するＩＰ電話機において、ＣＷ機能のオン／オフ設定をユーザが行えるようにすることである。
【課題を解決するための手段】
【００１８】
請求項１の発明は、個別着信キーと、ＣＷ機能の割付が可能な機能キーとを備え、通話中に個別着信があったとき、その個別着信をＣＷ機能を割り付けた前記機能キーに移動させるようにしたＩＰ電話機であって、予め工事業者が前記機能キーに割り付けたＣＷ機能及びそのオン／オフ設定状態を記憶する記憶手段と、前記機能キーの操作に応じて、前記記憶手段に記憶されているオン／オフ設定状態を変更する手段とを有することを特徴とする。
請求項２の発明は、請求項１記載のＩＰ電話機において、前記ＣＷ機能がオンに設定されているときの個別着信中の前記機能キーの操作に基づいて、前記個別着信を拒否する手段を有することを特徴とする。
請求項３の発明は、請求項１記載のＩＰ電話機において、前記ＣＷ機能がオフに設定されているときの通話中の前記機能キーの操作に基づいて、前記記憶手段に記憶されているオン／オフ設定状態をオンに変更する手段を有することを特徴とする。
【００１９】
〔作用〕
請求項１の発明によれば、予め工事業者が機能キーに割り付けたＣＷ機能のオン／オフ設定状態を記憶した記憶手段の記憶内容を、その機能キーを操作することにより変更することができる。
請求項２の発明によれば、ＣＷ機能がオンに設定されているときの個別着信中の機能キーの操作に基づいて、前記個別着信を拒否する。
請求項３の発明によれば、ＣＷ機能がオフに設定されているときの通話中の機能キーの操作に基づいて、前記記憶手段に記憶されているオン／オフ設定状態をオンに変更し、その後の個別着信に応答することができるようにする。
【発明の効果】
【００２０】
本発明によれば、個別着信キーと、ＣＷ機能の割付が可能な機能キーとを備え、通話中に個別着信があったとき、その個別着信をＣＷ機能を割り付けた前記機能キーに移動させる機能を有するＩＰ電話機において、ユーザがＣＷ機能のオン／オフ設定を行うことができる。
【発明を実施するための最良の形態】
【００２１】
以下、本発明の実施形態について図面を参照して説明する。
図１は、本発明の実施形態のＩＰ電話装置を有するＩＰ電話システムの構成を示す図である。
【００２２】
本発明の実施形態のＩＰ電話システムは、ＩＰ網１と、ＩＰ網１に接続されるＩＰ電話機２及びＳＩＰサーバ３と、ＳＩＰサーバ３に接続されるＩＰ電話機４〜７を備えている。このＩＰ電話システムは、通信事業者が提供するＩＰ電話サービスであり、ＳＩＰサーバを設置して通話を制御するシステムである。
【００２３】
ここで、ＳＩＰサーバ３の配下のＩＰ電話機４〜７は内線電話機として機能するように、予め内線番号が設定され、ＳＩＰサーバ３内に記憶されている。そして、この設定情報に従って、ＩＰ電話機４〜７は、ＳＩＰサーバ３によるＳＩＰを用いた呼接続制御により、ＳＩＰサーバ３を介して、ＩＰ電話機２との外線通話、及びＩＰ電話機４〜７間の内線通話が可能である。
【００２４】
図２は、図１におけるＳＩＰサーバ３の配下のＩＰ電話機４〜７の構成を示すブロック図である。図２に示すように、ＩＰ電話機４〜７は、制御部１１、記憶部１２、呼処理部１３、音声処理部１４、操作・表示部１５、及びネットワークインタフェース部１６を備えている。
【００２５】
制御部１１はマイクロコンピュータなどで構成されており、このＩＰ電話機の全体の制御などを行う。記憶部１２には、このＩＰ電話機の端末識別情報、電話番号、ＩＰアドレス、及びユーザＩＤなどのような自己の識別情報が記憶される。
【００２６】
呼処理部１３はＳＩＰを用いた呼接続のための各種メッセージ及び上記各種識別情報のパケットの処理を行う。音声処理部１４は送受話器、及び音声符号化／復号化処理回路を備えており、音声の入出力、及び音声パケットの処理を行う。操作・表示部１５は図８の操作部２３及び表示部２２と同じ構成を持っており、ダイヤルキー、機能キー（Ｆ１キー〜Ｆ４キー）などの各種キー、及びＬＣＤを備えている。従って、以下の説明では、図８を引用する。Ｆ１キー〜Ｆ４キー、ＰＫキー、スピーカキーに対応して、それらの状態を表示するためのランプが設けられている。ネットワークインタフェース部１６は、ＩＰ網１と、呼処理部１３及び音声処理部１４との間で各種パケットの送受信を行う。
【００２７】
機能キーであるＦ１キー〜Ｆ４キーには各種機能を割り付けることができるが、ここではＦ１キー、Ｆ２キーを外線キーとしてそれぞれ着番号「１１１１」、「２２２２」を割り付け、Ｆ４キーにはＣＷ機能を割り付ける。
【００２８】
Ｆ４キーに対するＣＷ機能の割り付け、及びそのオン／オフ設定はＩＰ電話機の設置時に工事業者が実行する。この設定は、記憶部１２にＣＣＷ機能割付情報１２ａ、ＣＷ機能オン／オフ情報１２ｂとして保存される。前述したように、従来のＩＰ電話機では、これらの情報の設定及び変更は工事業者のみが可能であり、ユーザにはできなかった。本実施形態で、ユーザがＦ４キーを押下することで、ＣＷ機能オン／オフ情報１２ｂを書き換えることができるようにした。そして、このＣＷ機能オン／オフ情報１２ｂに基づき、図９Ａ，Ｂに示す処理を実行できるようにした。
【００２９】
ＳＩＰサーバ３には、図３Ａに示すような、配下のＩＰ電話機４〜７の着番号と、呼出先との対応関係を示すテーブルが予め作成されている。ここでは、「１１１１」を指定した着信要求に対してはＩＰ電話機４及び５を呼び出し、「２２２２」を指定した着信要求に対してはＩＰ電話機４及び７を呼び出し、「５５５５」を指定した着信要求に対しては、ＩＰ電話機６を呼び出す。また、「３４５６」、「７８９０」を指定した着信要求に対してはＩＰ電話機４呼び出す。
【００３０】
ＩＰ電話機４の記憶部１２には、図３Ｂに示すような、着番号と、操作・表示部１５のキーとの対応関係を示すテーブルが予め記憶されている。そして、ＳＩＰサーバ３から「１１１１」、「２２２２」を指定した着信があったときは、制御部１１の制御により、それぞれＦ１キー、Ｆ２キーのランプが点滅する。また、「１１１１」、「２２２２」以外の番号（ここでは「３４５６」、「７８９０」）を指定した着信があったときはＰＫキーのランプが点滅する。ＩＰ電話機５〜７の記憶部１２にも同様なテーブルが記憶されている。
【００３１】
次に、ＳＩＰサーバ３の配下にあるＩＰ電話機４〜７の着信時の動作を説明する。ＩＰ電話機４〜７の着信時の動作は基本的に同じなので、ここではＩＰ電話機４として説明する。
【００３２】
図４はＩＰ電話機４にて、Ｆ１キー、Ｆ２キー、又はＰＫキーのどれかで通話中に個別着信があった場合の動作を示すフローチャートである。
【００３３】
まず、制御装置１１は記憶部１２のＣＷ機能割付情報１２ａを読み出し、ＣＷ機能の割付の有無を判断し（ステップＳＴ１）、割付があった場合、ＣＷ機能オン／オフ情報１２ｂを読み出し、ＣＷ機能のオン／オフ状態を判断する（ステップＳＴ２）。そして、ＣＷ機能がオンであった場合は、Ｆ４キーを点滅させ、Ｆ４キーの押下による応答を可能にする。これは図９ＢにおけるＦ１通話中及びＰＫ通話中の動作に相当する。ＣＷ機能の割付がなかった場合、及び割付があってもオフであった場合は、着信を拒否する。これは図９ＡおけるＦ１通話中及びＰＫ通話中の動作に相当する。
【００３４】
図５は、ＣＷ機能がオフに設定されている状態で、Ｆ１キー、Ｆ２ー、及びＰＫキーの全てに着信があったときに、Ｆ４キーの押下によりＣＷ機能をオンに変更する場合の動作を示すフローチャートである。
【００３５】
ここでは、ＣＷ機能がオフのときにＦ１キー、Ｆ２ー、及びＰＫキーの全てに着信した場合、ＰＫ着信の応答を優先するように設定されているので、ユーザがＦ１キーを押下した場合、Ｆ１キーの押下は無効となる（ステップＳＴ１１）。
【００３６】
次いでユーザがＦ４キーを押下することで（ステップＳＴ１２）、ＣＷ機能がオンに変化する（ステップＳＴ１３）。ここでは、ＣＷ機能がオンのときにＦ１キー、Ｆ２ー、及びＰＫキーの全てに着信した場合、どのキーでも応答できるように設定されているので、ユーザによるＦ１キーの押下は有効となり（ステップＳＴ１４）、通話中となる（ステップＳＴ１５）。また、Ｆ２ー及びＰＫキーは引き続き着信中である（ステップＳＴ１６）。このとき、Ｆ１キーのランプは通話中を示す点灯状態となり、Ｆ２キーのランプ及びＦ４キーのランプは着信中を示す点滅状態となる。
【００３７】
図６は、ＳＩＰサーバ３の配下にあり、かつＣＷ機能がオンに設定されているＩＰ電話機（ここではＩＰ電話機４とする）に対し、ＳＩＰサーバ３の配下の他のＩＰ電話機（ここではＩＰ電話機７とする）からＰＫキーに対する着信があった場合に、Ｆ４キーを長く押下することにより、着信拒否及びＣＷ機能の変更を行う場合の動作を示すシーケンス図である。なお、この図及び後記の図７においてＳＩＰサーバ３を経由することの説明は省略する。
【００３８】
まずＩＰ電話機７はＩＰ電話機４の個別着信番号を指定して、着信要求「ＰＫ着信-１（INVITE）」の送信を行う（手順Ｓ２１）。ＩＰ電話機４はＩＰ電話機７に対して、着信応答「着信応答-１（180 TRYING）」を送信する（手順Ｓ２２）。
【００３９】
次いでユーザがＦ４キーを長く押下すると、ＩＰ電話機４はＩＰ電話機７に対して、拒否応答「拒否応答-１（486 BUSY HERE）」を送信し（手順Ｓ２３）、ＣＷ機能オン／オフ情報１２ｂをオフに変更する。
【００４０】
その後にＩＰ電話機４の個別着信番号を指定した着信要求「ＰＫ着信-２（INVITE）」があった場合（手順Ｓ２４）、ＩＰ電話機４は拒否応答「拒否応答-２（486 BUSY HERE）」を送信する（手順Ｓ２５）。
【００４１】
図７は、ＳＩＰサーバ３の配下にあり、かつＣＷ機能がオフに設定されているＩＰ電話機（ここではＩＰ電話機４とする）に対し、ＳＩＰサーバ３の配下の他のＩＰ電話機（ここではＩＰ電話機７とする）からＰＫキーに対する着信があった場合に、Ｆ４キーを押下することにより、ＣＷ機能の変更を行う場合の動作を示すシーケンス図である。
【００４２】
まずＩＰ電話機７はＩＰ電話機４の個別着信番号を指定して、着信要求「ＰＫ着信-１（INVITE）」の送信を行う（手順Ｓ３１）。ＩＰ電話機４はＩＰ電話機７に対して、拒否応答「拒否応答-１（486 BUSY HERE）」を送信する（手順Ｓ３２）。
【００４３】
次いでユーザがＦ４キーを押下すると、ＩＰ電話機４はＣＷ機能オン／オフ情報１２ｂをオンに変更する。その後にＩＰ電話機４の個別着信番号を指定した着信要求「ＰＫ着信-２（INVITE）」があった場合（手順Ｓ３３）、ＩＰ電話機４は着信応答「着信応答-２（180 TRYING）」を送信する（手順Ｓ３４）。これにより、個別着信要求がＦ４キーに移動する。
【００４４】
このように、本実施形態のＩＰ電話システムによれば、ＩＰ電話機４〜７の機能キーであるＦ４キーに対して工事業者が割りつけたＣＷ機能のオン／オフの設定をユーザがＦ４キーを押下することにより、簡単に変更することができる。
【００４５】
また、ＣＷ機能がオンに設定されているときにＰＫキーに対する着信があった場合に、Ｆ４キーを長く押下することにより、着信拒否を行うとともに、ＣＷ機能をオフに変更し、その後の着信を拒否できるように設定を変更することができる。
【００４６】
さらに、ＣＷ機能がオフに設定されているときにＰＫキーに対する着信があった場合に、Ｆ４キーを押下することにより、ＣＷ機能をオンに変更し、その後の着信に応答できるように設定を変更することができる。
【図面の簡単な説明】
【００４７】
【図１】本発明の実施形態のＩＰ電話システムの構成を示す図である。
【図２】図１におけるＳＩＰサーバの配下のＩＰ電話機の構成を示すブロック図である。
【図３】図１のＳＩＰサーバに設けられているテーブル、及びＳＩＰサーバの配下のＩＰ電話機に設けられているテーブルを示す図である。
【図４】Ｆ１キー、Ｆ２キー、又はＰＫキーのどれかで通話中に個別着信があった場合の動作を示すフローチャートである。
【図５】ＣＷ機能がオフに設定されている状態で、Ｆ１キー、Ｆ２ー、及びＰＫキーの全てに着信があったときに、Ｆ４キーの押下によりＣＷ機能をオンに変更する場合の動作を示すフローチャートである。
【図６】図１のＳＩＰサーバの配下にあり、かつＣＷ機能がオンに設定されているＩＰ電話機に対し、ＳＩＰサーバの配下の他のＩＰ電話機からＰＫキーに対する着信があった場合に、Ｆ４キーを長く押下することにより、着信拒否及びＣＷ機能の変更を行う場合の動作を示すシーケンス図である。
【図７】図１のＳＩＰサーバの配下にあり、かつＣＷ機能がオフに設定されているＩＰ電話機に対し、ＳＩＰサーバの配下の他のＩＰ電話機からＰＫキーに対する着信があった場合に、Ｆ４キーを押下することにより、ＣＷ機能の変更を行う場合の動作を示すシーケンス図である。
【図８】従来のＩＰ電話機の外観の概略平面図である。
【図９】従来のＩＰ電話機にてＦ４キーに割り付けたＣＷ機能がオフの場合及びオンの場合の動作を示す図である。
【符号の説明】
【００４８】
１・・・ＩＰ網、２，４〜７・・・ＩＰ電話機、３・・・ＳＩＰサーバ、１１・・・制御部、１２・・・記憶部、１２ａ・・・ＣＷ機能割付情報、１２ｂ・・・ＣＷ機能オン／オフ情報、１５・・・操作・表示部。
【図１】
0004936001.tif 000002
【図２】
0004936001.tif 000003
【図３】
0004936001.tif 000004
【図４】
0004936001.tif 000005
【図５】
0004936001.tif 000006
【図６】
0004936001.tif 000007
【図７】
0004936001.tif 000008
【図８】
0004936001.tif 000009
【図９】
0004936001.tif 000010